(57)【特許請求の範囲】
【請求項１】
扉に固着されるガイドベースと、固定枠体に設けられる受金部と、施錠位置と解錠位置との間で進退可能にガイドベースに装着されたスライダーブロックと、スライダーブロックに設けられ、受金部に係脱するデッドボルトと、スライダーブロックに埋め込み装着され、スライダーブロックをガイドベースに対して錠止する錠前ユニットと、錠前ユニットの施錠ロータに連動装備されたロックボルトをガイドベース側のロック受け部に係合させる鍵とからなる扉用ロック装置において、
前記スライダーブロックとガイドベースを被覆したカバープレートをガイドベースに固着し、扉にその正面から後退したセット用凹部を形成し、受金部を固定枠体の側面に開口させ、前記ガイドベース及びカバープレートをセット用凹部に落とし込んで扉に装着し、錠前ユニットの施錠ロータの中心軸線を扉の正面と平行に配置して施錠ロータの鍵孔をスライダーブロックの下面側に開口させ、前記カバープレートの下面と、セット用凹部の扉１の正面に対して直角な下側内壁面との間に、錠前ユニットへの鍵の抜き差し操作を可能とする程度に限定された操作用空間を確保し、前記スライダーブロックの下面右端部に、スライダーブロックを左右方向に進退操作するための操作棒を嵌め込み固着し、該操作棒をカバープレートの左右方向のスロットから前記操作用空間に突出させてあることを特徴とする請求項１に記載の扉用ロック装置。
【発明の詳細な説明】
【０００１】
【発明の属する技術分野】
本発明は、扉の閉鎖時に扉を固定枠体に対して錠止する扉用ロック装置に関するものである。
【０００２】
【従来の装置】
施錠ロータの回転運動をデッドボルトの直線運動に変換するカム機構を介して、錠前ユニットの施錠ロータにデッドボルトを連動装備し、鍵で施錠ロータを回転させてデッドボルトを施錠位置と解錠位置との間で進退させ、デッドボルトを受金部に係脱させる方式の扉用ロック装置は既に知られている。
【０００３】
この扉用ロック装置で一般に採用されているカム機構は、施錠ロータの後端面に施錠ロータの中心軸線から偏心させて駆動用カム突起を設け、デッドボルトの基端部にその横断方向に従動用溝孔を設け、駆動用カム突起を従動用溝孔に挿入し、施錠ロータの回転時に駆動用カム突起の側面によって従動用溝孔の内壁面を押してデッドボルトを進退させるものである。
【０００４】
固定枠体に対する扉の施錠は、デッドボルトと受金部との係合によって成立するものであり、外力を加えてデッドボルトや受金部を歪曲変形したり損壊することによって、前記施錠が暴力的に解除される。そのため、この施錠の暴力的解除に対する耐力を高めるためには、デッドボルトと受金部の係合長さを長く設定する必要がある。
【０００５】
しかしながら、前記方式のカム機構では、デッドボルトのストロークの長さは、駆動用カム突起の偏心距離の大きさによって決定されるため、デッドボルトと受金部との係合長さを長く設定するのには自ずと限界がある。
デッドボルトと受金部の係合長さを長く設定するには、駆動用カム突起の偏心距離を大きく設定すればよいのであるが、闇雲に偏心距離を大きく設定するときには、施錠ロータの直径を太くすることになり、これは錠前ユニットの大型化を招き、コスト高の問題を招くことになる。
【０００６】
【発明が解決しようとする課題】
したがって本発明の目的は、錠前ユニットを徒に大型化しなくてもデッドボルトと受金部の係合長さを必要十分に長く設定することができ、暴力的な施錠の解除に対する耐力を増強できる扉用ロック装置を提供することである。
本発明の別の目的は、錠前ユニット自体のドリル等による暴力破壊はピッキング用具による不正解錠に対しても強い扉用ロック装置を提供することである。
【０００７】
【課題を解決するための手段】
以下、添付図面中の参照符号を用いて説明すると、本発明の扉用ロック装置は、扉１に固着されるガイドベース３と、固定枠体２に設けられる受金部４と、施錠位置と解錠位置との間で進退可能にガイドベース３に装着されたスライダーブロック５と、スライダーブロック５に設けられ、受金部４に係脱するデッドボルト６と、スライダーブロック５に埋め込み装着され、スライダーブロック５をガイドベース３に対して錠止する錠前ユニット７と、錠前ユニット７の施錠ロータ８に連動装備されたロックボルト１２をガイドベース３側のロック受け部１４に係合させる鍵１３とからなる扉用ロック装置において、
スライダーブロック５とガイドベース３を被覆したカバープレート１９をガイドベース３に固着し、扉１にその正面から後退したセット用凹部１５を形成し、受金部４を固定枠体２の側面に開口させ、ガイドベース３及びカバープレート１９をセット用凹部１５に落とし込んで扉１に装着し、錠前ユニット７の施錠ロータ８の中心軸線を扉１の正面と平行に配置して施錠ロータ８の鍵孔９をスライダーブロック５の下面側に開口させ、カバープレート１９の下面と、セット用凹部の扉１の正面に対して直角な下側内壁面１５ａとの間に、錠前ユニット７への鍵１３の抜き差し操作を可能とする程度に限定された操作用空間１６を確保し、スライダーブロック５の下面右端部に、スライダーブロック５を左右方向に進退操作するための操作棒１７を嵌め込み固着し、操作棒１７をカバープレート１９の左右方向のスロット２１から操作用空間１６に突出させてあることを特徴とする。
【０００８】
【発明の作用】
本発明の扉用ロック装置では、図１に示したように扉１の閉鎖状態においてデッドボルト６は受金部４に係合しており、これによって扉１は固定枠体２に対して施錠されている。
この扉施錠状態では、錠前ユニット７の施錠ロータ８に連動装備されたロックボルト１２は、ガイドベース３側のロック受け部１４に係合しており、スライダーブロック５をガイドベース３に対して錠止している。
【０００９】
固定枠体２に対する扉１の施錠を解除するには、最初に施錠ロータ８の鍵孔９に鍵１３を差し込み、錠前ユニット７の本体部分に対する施錠ロータ８の拘束を解除した後、鍵１３で施錠ロータ８を所定角度回すことによってロックボルト１２を駆動し、ロックボルト１２をガイドベース３側のロック受け部１４から脱出させる。
【００１０】
このようにガイドベース３に対するスライダーブロック５の錠止を解除した後、操作棒１７によりスライダーブロック５をガイドベース３に沿って解錠位置へと後退させ、デッドボルト６を受金部４から脱出させる。これによって扉１は固定枠体２に対する錠止を解除され、扉１は開放可能となる。
【００１１】
鍵１３はセット用凹部１５の下側に確保された操作用空間１６に所要深さまで入り込ませた後、錠前ユニット７の鍵孔９に挿入される。その後、鍵１３で施錠ロータ８を所定角度回してロックボルト１２を駆動し、ロックボルト１２をガイドベース３側のロック受け部１４から抜き出す。
【００１２】
その後、スライダーブロック５をガイドベース３に沿って後退させ、デッドボルト６を受金部４から脱出させる。これによって扉１は固定枠体２に対する錠止を解除され、扉１は開放可能となる。
【００１３】
【発明の実施の形態】
図１から図７に示した実施例では、スライダーブロック５の左端部側に埋め込み装着された錠前ユニット７は、公知のディスクタンブラ錠機構やピンタンブラ機構などを内蔵したシリンダー錠で構成されており、前記錠機構のディスクタンブラやロックピンが係脱する錠前ユニット７の本体部分は、スライダーブロック５を一体に形成されている。
【００１４】
施錠ロータ８とロックボルト１２間のカム機構１１としては、施錠ロータ８の後端面に施錠ロータ８の中心軸線から偏心させて駆動用カム突起１１ａを設け、ロックボルト１２の基端部にその横断方向に従動用溝孔１１ｂを設け、駆動用カム突起１１ａを従動用溝孔１１ｂに挿入し、施錠ロータ８の回転時に駆動用カム突起１１ａの側面によって従動用溝孔１１ｂの内壁面を押してロックボルト１２を進退させるようにした公知の機構が採用されている。
【００１５】
丸棒状のデッドボルト６はスライダーブロック５の右端部に嵌め込み固着されており、スライダーブロック５の下面右端部には、スライダーブロック５を左右方向に進退操作するための操作棒１７が嵌め込み固着されている。スライダーブロック５はガイドベース３の前面側に形成したガイド溝１８に後端部が摺動可能に嵌め込まれている。
【００１６】
スライダーブロック５とガイドベース３はカバープレート１９によって平面、正面及び底面を束ねて被覆されており、カバープレート１９の両端折り曲げ部１９ａ，１９ｂは背面側からビス２０によってガイドベース３に締付け固着されている。図４に示したように、このビス２０の一部または全部を首長ビスによって構成し、該首長ビスによってカバープレート１９とガイドベース３を一緒に扉１に締付け固着することもできる。
なお、カバープレート１９とガイドベース３の組立用ビスと、カバープレート１９及びガイドベース３の扉１又は固定枠体２に対する装着用ビスを別々のビスで構成することもできる。
【００１７】
カバープレート１９とガイドベース３の左右方向に長さ寸法は、図６に示したように扉１に形成したセット用凹部１５の横幅寸法と同じであり、カバープレート１９の左右端面１９ｃ，１９ｄおよびガイドベース３の左右端面３ａ，３ｂがセット用凹部１５の左右両側の内壁面１５ｃ、１５ｄに当接または対面するようになっている。カバープレート１９の上面１９ｅはセット用凹部１５の上側内壁面１５ｅに当接または対面するようになっている。
【００１８】
カバープレート１９の下面側には左右方向に長いスロット２１が形成されており、前記操作棒１７はスロット２１に通されている。セット用凹部１５の右側内壁面１５ｄには、スライダーブロック５の右端部が入り込む逃げ用空間２２と、デッドボルト６のガイド用孔２３が連通形成されており、デッドボルト６は扉１の右端面１ｂから突出する。受金部４は固定枠体２に一体に形成されるか、固定枠体２に固着され、デッドボルト６の受け入れ用開口４ａは固定枠体２の内壁面２ｂに形成されている。
なお、スライダーブロック５の右端部とデッドボルト６の通過を許容する相応の大きさの開口部を、セット用凹部１５の右側内端面１５ｄに形成することもできる。
【００１９】
図８に示した実施例では、スライダーブロック５の背面には位置決め突起２４が形成されており、ガイドベース３のガイド溝１８の底面にはガイドベース３の長さ方向にガイドスロット２５が形成されている。位置決め突起２４はガイドスロット２５に嵌め込まれ、抜け止め座金２６とビス２７によってスライダーブロック５がガイドベース３に連結されている。その他の構成は上記実施例と同様である。
また、カバープレート１９に左右側面板部を追加し、ガイドベース３、スライダーブロック５の上下左右の４面全部をカバープレートで包囲するようにしても、扉用ロック装置を面付け状態で使用することができる。
【００２０】
【発明の効果】
以上のように本発明の扉用ロック装置では、施錠位置と解錠位置との間で進退可能にスライダーブロックがガイドベースに装着されており、スライダーブロックをガイドベースに対して錠止する錠前ユニットがスライダーブロックに埋め込み装着されており、受金部に係脱するデッドボルトがスライダーブロックに設けられているものであり、錠前ユニットの施錠ロータの鍵孔に挿入した鍵によってデッドボルトを施錠位置や解錠位置に直接駆動するものではないから、駆動用カム突起の偏心距離を大きく設定するために錠前ユニットをいたずらに大型化しなくても、デッドボルトと受金部の係合長さを必要十分に長く設定することができ、暴力的な施錠の解除に対する耐力を増強できる扉用ロック装置を的確に提供することできる。
【００２１】
特に本発明の扉用ロック装置においては、スライダーブロック５とガイドベース３を被覆したカバープレート１９をガイドベース３に固着し、扉１にその正面から後退したセット用凹部１５を形成し、受金部４を固定枠体２の側面に開口させ、ガイドベース３及びカバープレート１９をセット用凹部１５に落とし込んで扉１に装着し、錠前ユニット７の施錠ロータ８の中心軸線を扉１の正面と平行に配置して施錠ロータ８の鍵孔９をスライダーブロック５の下面側に開口させ、カバープレート１９の下面と、セット用凹部の扉１の正面に対して直角な下側内壁面１５ａとの間に、錠前ユニット７への鍵１３の抜き差し操作を可能とする程度に限定された操作用空間１６を確保したものであるから、ドリルで鍵孔９を穿孔破壊しようとしても、ドリル工具を正しい姿勢に配置して、操作用空間１６に必要十分な深さまで差し入れることができないため、ドリルなどの工具による暴力破壊に強いものとなる。
また、同様に鍵孔に対するピッキング用具の操作取り扱いも困難となるから、不正解錠に対して強い扉用ロック装置が得られる。
【図面の簡単な説明】
【図１】本発明の一実施例に係る扉用ロック装置の本体部分の正面図であり、デッドボルトは施錠位置に突出している。
【図２】図１の扉用ロック装置の本体部分の平面図である。
【図３】図１の扉用ロック装置の本体部分の右側面図である。
【図４】図１の扉用ロック装置の本体部分を扉に形成したセット用凹部に嵌め入れ装着したときの左側面図である。
【図５】図１の扉用ロック装置の本体部分を扉に形成したセット用凹部に嵌め入れ装着したときの平面図であり、デッドボルトは施錠位置にあり、カバープレートの一部を切欠いて示してある。
【図６】図１の扉用ロック装置の本体部分を扉に形成したセット用凹部に嵌め入れ装着したときの正面図であり、カバープレートの図示を省略している。
【図７】図１の扉用ロック装置の本体部分を扉に形成したセット用凹部に嵌め入れ装着したときの正面図であり、デッドボルトは解錠位置にあり、カバープレートの図示は省略してある。
【図８】本発明の別の実施例に係る扉用ロック装置の本体部分の水平断面図であり、デッドボルトは解錠位置に後退している。
【符号の説明】
１  扉
２  固定枠体
３  ガイドベース
４  受金部
５  スライダーブロック
６  デッドボルト
７  錠前ユニット
８  施錠ロータ
９  鍵孔
１１  カム機構
１２  ロックボルト
１３  鍵
１４  ロック受け部
１５  セット用凹部
１６  操作用空間
１７  操作棒
１８  ガイド溝
１９  カバープレート
２０  ビス
２１  スロット
２２  スライダーブロック逃げ用空間
２３  デッドボルトのガイド用孔
２４  位置決め突起
２５  ガイドスロット
２６  抜け止め座金
２７  ビス
【図１】
0003545734.tif 000002
【図２】
0003545734.tif 000003
【図３】
0003545734.tif 000004
【図４】
0003545734.tif 000005
【図５】
0003545734.tif 000006
【図６】
0003545734.tif 000007
【図７】
0003545734.tif 000008
【図８】
0003545734.tif 000009